(57)【要約】【課題】  光源から出射される画像光を、直接、２次元状に走査する構成を採用し、光源としての外形寸法できる限り小さくしつつ、２次元状の画像を作り出して表示するようにした携帯型情報端末機を提供する。【解決手段】  レーザダイオード５０は、可変焦点素子６０と共にケーシング部材１０ａ内に設けられている。２次元スキャナ７０は、ケーシング部材２０ａ内に設けられている。ハーフミラー４０は、ケーシング部材１０ａの凹所１４の下部に回動可能に連結されている。レーザダイオード５０から可変焦点素子６０を通し出射される強度変調レーザ光は、２次元スキャナ７０により２次元状に走査されて走査レーザ光としてケーシング部材２０ａの開口部２１ｂを通り外部空間に出射してハーフミラー４０の反射面４２に入射する。この入射走査レーザ光は、ハーフミラー４０により反射面４２にて反射されて左眼Ｉに入射してその網膜に２次元状の画像として結像表示される。【選択図】    図３
2006013899.tif 000002
【特許請求の範囲】
【請求項１】
通信手段を有する端末機本体及びこの端末機本体に設けてなる画像表示装置を備える携帯型情報端末機であって、
前記画像表示装置は、
光源を有して、この光源から画像に対応する画像光を出射する画像光出射手段と、
この画像光出射手段から出射される前記画像光を入射されて２次元状の走査光として出射する走査手段と、
この走査手段から前記走査光を入射される反射面を有し、この反射面により前記走査光を当該反射面から離れる方向に光路変更する光学部材とを備えて、
前記光学部材の前記反射面により光路変更される走査光が人の眼に入射したとき当該眼の網膜上にて前記画像を２次元状に表示するようにした携帯型情報端末機。
【請求項２】
前記光学部材は、前記端末機本体において、前記走査手段から空間的に離れて位置するように設けられていることを特徴とする請求項１に記載の携帯型情報端末機。
【請求項３】
前記画像光出射手段は前記端末機本体に内蔵されており、
前記走査手段は、前記端末機本体に内蔵されて、前記画像光出射手段からの前記画像光を前記走査光として前記端末機本体の前壁の一部を通し外部に出射するようになっており、
前記光学部材は、前記端末機本体にその外部から連結されて、前記走査手段から前記走査光を前記反射面に入射されるようになっていることを特徴とする請求項１或いは２に記載の携帯型情報端末機。
【請求項４】
前記端末機本体は、その外部から前記光学部材を収容する凹所を設けてなり、
前記光学部材は、前記端末機本体のうち前記凹所の近傍部位に当該凹所に収納可能に連結されていることを特徴とする請求項１〜３のいずれか１つに記載の携帯型情報端末機。
【請求項５】
前記端末機本体は、スピーカを有する第１本体部と、マイクロフォンを有する第２本体部であって前記第１本体部に対し折りたたみ軸を介し折りたたみ可能に連結されて当該第１本体部から延出する第２本体部とを具備しており、
前記画像光出射手段は前記第１本体部に内蔵されており、
前記走査手段は、前記第１本体部に内蔵されて、前記画像光出射手段からの前記画像光を前記走査光として前記第１本体部の前壁の一部を通し外部に出射するようになっており、
前記光学部材は、前記第２本体部にその外部から連結されて、前記反射面にて前記走査手段から前記走査光を入射されるようになっていることを特徴とする請求項１或いは２に記載の携帯型情報端末機。
【請求項６】
前記端末機本体は、通信を行うためのアンテナを備えており、
前記画像光出射手段及び前記走査手段は、前記端末機本体に、前記アンテナとは反対側にて内蔵されていることを特徴とする請求項１〜５のいずれか１つに記載の携帯型情報端末機。
【請求項７】
前記第２本体部は、その外部から前記光学部材を収容する凹所を設けてなり、
前記光学部材は、前記第２本体部のうち前記凹所の近傍部位に当該凹所に収納可能に連結されていることを特徴とする請求項５或いは６に記載の携帯型情報端末機。
【請求項８】
前記凹所は、前記第２本体部のうち前記折りたたみ軸の端部側部位に設けられており、
前記光学部材は、前記第２本体部のうち前記折りたたみ軸の前記端部側部位に対応する前記凹所の近傍部位に当該凹所に収納可能に連結されており、
前記画像光出射手段及び前記走査手段は、前記第１本体部のうち前記折りたたみ軸の前記端部側部位と同一側部位内に内蔵されていることを特徴とする請求項７に記載の携帯型情報端末機。
【請求項９】
前記端末機本体は、スピーカを有する第１本体部と、マイクロフォンを有して前記第１本体部に対し折りたたみ軸を介し折りたたみ可能に連結される第２本体部とを具備しており、
前記画像光出射手段は前記第２本体部に内蔵されており、
前記走査手段は、前記第２本体部に内蔵されて、前記画像光出射手段からの前記画像光を前記走査光として前記第２本体部の前壁の一部を通し外部に出射するようになっており、
前記光学部材は、前記第２本体部にその外部から連結されて、前記走査手段から前記走査光を前記反射面に入射されるようになっていることを特徴とする請求項１或いは２に記載の携帯型情報端末機。
【請求項１０】
前記第２本体部は、その外部から前記光学部材を収容する凹所を設けてなり、
前記光学部材は、前記第２本体部のうち前記凹所の近傍部位に当該凹所に収納可能に連結されていることを特徴とする請求項９に記載の携帯型情報端末機。
【請求項１１】
前記第１本体部は、表示パネルと、この表示パネルの画像表示を制御する制御手段とを有しており、
前記光学部材の前記画像に対する解像度は、前記表示パネルの解像度よりも高いことを特徴とする請求項５〜１０のいずれか１つの記載の携帯型情報端末機。
【請求項１２】
前記制御手段は、前記表示パネルによる表示と前記画像表示装置による前記画像の表示とを相互に切り換える切り換え手段を備えることを特徴とする請求項１１に記載の携帯型情報端末機。
【請求項１３】
前記光学部材は、前記反射面を前記凹所内に向けて収納されるように当該凹所の近傍部位に連結されていることを特徴とする請求項４、７、８或いは１０に記載の携帯型情報端末機。
【請求項１４】
前記光学部材は、前記反射面を覆う光透過部を備えていることを特徴とする請求項１〜１３のいずれか１つに記載の携帯型情報端末機。
【請求項１５】
前記光学部材は、前記反射面を有するハーフミラーであり、
当該ハーフミラーは、その反射面にて前記走査光を反射するようにして光路変更することを特徴とする請求項１〜１４のいずれか１つに記載の携帯型情報端末機。
【請求項１６】
前記画像光出射手段は、前記光源として、コヒーレント光発生源を備えて、前記通信手段で受信する情報に基づき前記コヒーレント光発生源から前記２次元状画像に対応するコヒーレント光を、前記画像光として出射するようにしたことを特徴とする請求項１〜１５のいずれか１つに記載の携帯型情報端末機。
【発明の詳細な説明】
【技術分野】
【０００１】
本発明は、携帯電話機等の携帯型情報端末機に関するものである。
【背景技術】
【０００２】
従来、この種の携帯型情報端末機においては、例えば、下記特許文献１に開示された電話用送受話器がある。この電話用送受話器による通話の際には、使用者は、その眼の直前に当該送受話器の小型走査式ディスプレイを保持する。このような保持のもと、使用者は、上記通話を、小型走査式ディスプレイの表示を視認しながら行うこととなる。
【特許文献１】特許第２７２１７０９号公報
【発明の開示】
【発明が解決しようとする課題】
【０００３】
ところで、上記送受話器では、光源として、発光ダイオードアレイを採用し、この発光ダイオードアレイから出射されてミラーに入射する一次元状の画像光を、当該ミラーの振動でもって走査し、２次元状の画像を作り出して小型走査式ディスプレイにて表示するようになっている。
【０００４】
しかし、発光ダイオードアレイは、複数の発光ダイオードを直線状に配列して構成されているため、発光ダイオードの配列密度には自ずから限界があある。このことは、画素密度に自ずから限界が生ずることを意味する。
【０００５】
従って、画素数を増大しようとすると、発光ダイオードの数を増大させる必要があり、その結果、発光ダイオードアレイの光源としての外形寸法が大きくなってしまうという不具合を招く。
【０００６】
そこで、本発明は、以上のようなことに対処するため、光源から出射される画像光を、直接、２次元状に走査する構成を採用し、光源としての外形寸法できる限り小さくしつつ、２次元状の画像を作り出して表示するようにした携帯型情報端末機を提供することを目的とする。
【課題を解決するための手段】
【０００７】
上記課題の解決にあたり、本発明に係る携帯型情報端末機は、請求項１の記載によれば、
通信手段（１０ｄ、１０ｅ）を有する端末機本体（Ａ）及びこの端末機本体に設けてなる画像表示装置（Ｂ）を備える。
【０００８】
当該携帯型情報端末機において、画像表示装置は、
光源（５０）を有して、この光源から画像に対応する画像光を出射する画像光出射手段（３０ｂ）と、
この画像光出射手段から出射される上記画像光を入射されて２次元状の走査光として出射する走査手段（３０ｆ、７０）と、
この走査手段から上記走査光を入射される反射面（４２）を有し、この反射面により上記走査光を当該反射面から離れる方向に光路変更する光学部材（４０）とを備えて、
光学部材の上記反射面により光路変更される走査光が人の眼に入射したとき当該眼の網膜上にて前記画像を２次元状に表示する。
【０００９】
これによれば、画像光出射手段からその光源でもって出射される画像光が、走査手段により、直接、２次元状の走査光として出射される。従って、光源としての外形形状をより一層小さくしつつ、２次元状の画像を光学部材を介して表示し得る。
【００１０】
また、本発明は、請求項２の記載によれば、請求項１に記載の携帯型情報端末機において、光学部材は、端末機本体において、走査手段から空間的に離れて位置するように設けられていることを特徴とする。
【００１１】
これによれば、走査手段からの走査光は、この走査手段と光学部材との間の空間を利用して、光学部材に入射される。従って、請求項１に記載の発明の作用効果を達成し得るのは勿論のこと、使用者の顔の側面に押し当てて使用される携帯電話機のような情報端末機において、光学部材を使用者の眼の近くに位置するように電気的な接続なしで配設することができる。
【００１２】
また、本発明は、請求項３の記載によれば、請求項１或いは２に記載の携帯型情報端末機において、
画像光出射手段は端末機本体に内蔵されており、
走査手段は、端末機本体に内蔵されて、画像光出射手段からの上記画像光を上記走査光として端末機本体の前壁（１１、２１）の一部を通し外部に出射するようになっており、
光学部材は、端末機本体にその外部から連結されて、走査手段から上記走査光を上記反射面に入射されるようになっていることを特徴とする。
【００１３】
これによっても、請求項１或いは２に記載の発明と同様の作用効果が達成され得る。
【００１４】
また、本発明は、請求項４の記載によれば、請求項１〜３のいずれか１つに記載の携帯型情報端末機において、
端末機本体は、その外部から光学部材を収容する凹所（１４、１７、１８、１９）を設けてなり、
光学部材は、端末機本体のうち上記凹所の近傍部位（１４ａ、１７ａ、１８ａ、１９ａ）に当該凹所に収納可能に連結されていることを特徴とする。
【００１５】
これにより、情報端末機における画像表示装置の非使用時には、光学部材を、上記凹所に収納することができ、その結果、請求項１〜３のいずれか１つに記載の発明の作用効果を達成しつつ、画像表示装置の非使用時における情報端末機の構成をより一層コンパクトにし得る。
【００１６】
また、本発明は、請求項５の記載によれば、請求項１或いは２に記載の携帯型情報端末機において、
端末機本体は、スピーカ（２０ｃ）を有する第１本体部（２０）と、マイクロフォン（１０ｆ）を有する第２本体部であって第１本体部に対し折りたたみ軸（Ｓ）を介し折りたたみ可能に連結されて当該第１本体部から延出する第２本体部（１０）とを具備している。
【００１７】
また、画像光出射手段は第１本体部に内蔵されており、
走査手段は、第１本体部に内蔵されて、画像光出射手段からの上記画像光を上記走査光として第１本体部の前壁（２１）の一部（２１ｂ、２１ｃ）を通し外部に出射するようになっており、
光学部材は、第２本体部にその外部から連結されて、上記反射面にて走査手段から上記走査光を入射されるようになっていることを特徴とする。
【００１８】
このように、走査手段及び画像光出射手段が第１本体部に内蔵され、光学部材が第２本体部にその外部から連結される構成とし、走査手段が、画像光出射手段からの上記画像光を上記走査光として第１本体部の前壁の一部を通し外部に出射し、光学部材が、その反射面にて走査手段から上記走査光を入射されることで、請求項１或いは２に記載の発明の作用効果をより一層具体的に達成し得る。
【００１９】
また、本発明は、請求項６の記載によれば、請求項１〜５のいずれか１つに記載の携帯型情報端末機において、
端末機本体は、通信を行うためのアンテナ（１０ｅ）を備えており、
画像光出射手段及び走査手段は、端末機本体に、アンテナとは反対側にて内蔵されていることを特徴とする。
【００２０】
これにより、請求項１〜５のいずれか１つに記載の発明の作用効果を達成し得るのは勿論のこと、当該情報端末機をより一層コンパクトに構成し得る。
【００２１】
また、本発明は、請求項７の記載によれば、請求項５或いは６に記載の携帯型情報端末機において、第２本体部は、その外部から光学部材を収容する凹所（１４、１７、１８、１９）を設けてなり、
光学部材は、第２本体部のうち上記凹所の近傍部位（１４ａ、１７ａ、１８ａ、１９ａ）に当該凹所に収納可能に連結されていることを特徴とする。
【００２２】
これにより、当該情報端末機における画像表示装置の非使用時に、光学部材が第２本体部の凹所に収納されることで、請求項５或いは請求項６に記載の発明の作用効果にあわせて、当該情報端末機の画像表示装置の非使用時における構成がより一層コンパクトにされ得る。
【００２３】
また、本発明は、請求項８の記載によれば、請求項７に記載の携帯型情報端末機において、上記凹所は、第２本体部のうち折りたたみ軸の端部側部位に設けられており、
光学部材は、第２本体部のうち折りたたみ軸の上記端部側部位に対応する上記凹所の近傍部位に当該凹所に収納可能に連結されており、
画像光出射手段及び走査手段は、第１本体部のうち折りたたみ軸の上記端部側部位と同一側部位内に内蔵されていることを特徴とする。
【００２４】
これにより、上記凹所、光学部材、画像光出射手段及び走査手段が情報端末機のうち折りたたみ軸の上記端部側部位に設けられることとなる。その結果、請求項７に記載の発明の作用効果を達成し得るのは勿論のこと、情報端末機の従来の構成をそのまま維持しつつ当該情報端末機を容易に製造し得る。
【００２５】
また、本発明は、請求項９の記載によれば、請求項１或いは２に記載の携帯型情報端末機において、
端末機本体は、スピーカ（２０ｃ）を有する第１本体部（２０）と、マイクロフォン（１０ｆ）を有して第１本体部に対し折りたたみ軸（Ｓ）を介し折りたたみ可能に連結される第２本体部（１０）とを具備しており、
画像光出射手段は第２本体部に内蔵されており、
走査手段は、第２本体部に内蔵されて、画像光出射手段からの上記画像光を上記走査光として第２本体部の前壁（１１）の一部（１１ａ）を通し外部に出射するようになっており、
光学部材は、第２本体部にその外部から連結されて、走査手段から上記走査光を上記反射面に入射されるようになっていることを特徴とする。
【００２６】
このように、走査手段及び画像光出射手段が第２本体部に内蔵され、光学部材が第２本体部にその外部から連結される構成とし、走査手段が、画像光出射手段からの上記画像光を上記走査光として第２本体部の前壁の一部を通し外部に出射し、光学部材が、その反射面にて走査手段から上記走査光を入射されることで、請求項１或いは２に記載の発明の作用効果をより一層具体的に達成し得る。
【００２７】
また、本発明は、請求項１０の記載によれば、請求項９に記載の携帯型情報端末機において、
第２本体部は、その外部から光学部材を収容する凹所（１４、１７、１８、１９）を設けてなり、
光学部材は、第２本体部のうち上記凹所の近傍部位に当該凹所に収納可能に連結されていることを特徴とする。
【００２８】
これにより、当該情報端末機における画像表示装置の非使用時に、光学部材が第２本体部の凹所に収納されることで、請求項９に記載の発明の作用効果にあわせて、当該情報端末機の画像表示装置の非使用時における構成がより一層コンパクトにされ得る。
【００２９】
また、本発明は、請求項１１の記載によれば、請求項５〜１０のいずれか１つの記載の携帯型情報端末機において、
第１本体部は、表示パネル（２０ｂ）と、この表示パネルの画像表示を制御する制御手段（３０ｂ）とを有しており、
光学部材の上記画像に対する解像度は、表示パネルの解像度よりも高いことを特徴とする。
【００３０】
これにより、請求項５〜１０のいずれか１つの記載の発明の作用効果の達成にあわせ、光学部材による反射面の走査光に対する反射でもって使用者の眼の網膜に結像表示される２次元状画像が表示パネルの表示画像よりもきれいにみえるという作用効果が達成され得る。
【００３１】
また、本発明は、請求項１２の記載によれば、請求項１１に記載の携帯型情報端末機において、
制御手段は、表示パネルによる表示と画像表示装置による上記画像の表示とを相互に切り換える切り換え手段（１０ｃ）を備えることを特徴とする。
【００３２】
これにより、請求項１１に記載の発明の作用効果の達成にあわせて、切り換え手段の切り換えでもって、表示パネルによる表示及び画像表示装置による上記画像の表示のいずれかが確保され得る。なお、切り換え手段は、切り換えスイッチに限ることなく、所定解像度以上のデータの存在をもとに、画像表示装置による上記画像の表示に切り換える手段であってもよい。
【００３３】
また、本発明は、請求項１３の記載によれば、請求項４、７、８或いは１０に記載の携帯型情報端末機において、
光学部材は、上記反射面を上記凹所内に向けて収納されるように当該凹所の近傍部位に連結されていることを特徴とする。
【００３４】
これにより、光学部材が上記凹所内に収納されたとき、当該光学部材の反射面は上記凹所内に位置することとなる。その結果、請求項４、７、８或いは１０に記載の発明の作用効果の達成にあわせ、光学部材の反射面の汚れや損傷を防止できる。
【００３５】
また、本発明は、請求項１４の記載によれば、請求項１〜１３のいずれか１つに記載の携帯型情報端末機において、
光学部材は、上記反射面を覆う光透過部（４２ａ）を備えていることを特徴とする。
【００３６】
このように、上記反射面が光透過部でもって覆われているため、当該光透過部が汚れても、この光透過部をその表面から直接拭くだけで、上記反射面をすぐにきれいにし得る。
【００３７】
また、本発明は、請求項１５の記載によれば、請求項１〜１４のいずれか１つに記載の携帯型情報端末機において、
光学部材は、上記反射面を有するハーフミラーであり、
当該ハーフミラーは、その反射面にて上記走査光を反射するようにして光路変更することを特徴とする。
【００３８】
これにより、請求項１〜１４のいずれか１つに記載の発明の作用効果の達成にあわせ、当該ハーフミラーを通して前方の現実の景色を見つつ、上記２次元状画像を当該ハーフミラーの反射面にて視認し得る。
【００３９】
また、本発明は、請求項１６の記載によれば、請求項１〜１５のいずれか１つに記載の携帯型情報端末機において、
画像光出射手段は、光源として、コヒーレント光発生源を備えて、通信手段で受信する情報に基づきコヒーレント光発生源から上記２次元状画像に対応するコヒーレント光を、上記画像光として出射するようにしたことを特徴とする。
【００４０】
これにより、上記走査光がコヒーレント光となり、その結果、このコヒーレント光のコヒーレント性を利用することで、当該コヒーレント光を離れた位置まで直進性よく導くことができ、その結果、請求項１〜１５のいずれか１つに記載の発明の作用効果をより一層向上し得る。
【００４１】
なお、上記各手段の括弧内の符号は、後述する実施形態に記載の具体的手段との対応関係を示すものである。
【発明を実施するための最良の形態】
【００４２】
以下、本発明の各実施形態を図面により説明する。
（第１実施形態）
図１は、本発明を携帯型情報端末機の１つである携帯電話機に適用した例を示しており、当該携帯電話機は、電話機本体Ａと、画像表示装置Ｂとにより構成されている。なお、本第１実施形態において、当該携帯電話機の左右はこの携帯電話機の図１にてその後壁側から見る状態で決めるものとする。
【００４３】
電話機本体Ａは、図１にて示すごとく、操作側本体部１０及び表示側本体部２０により構成されている。操作側本体部１０は、表示側本体部２０に折りたたみ軸Ｓ（図３参照）を軸として折りたたみ可能に連結されて表示側本体部２０から延出しており、当該操作側本体部１０は、ケーシング部材１０ａ及び複数の押しボタン式入力キースイッチ１０ｂ及び押しボタン式切り換えスイッチ１０ｃを備えている。
【００４４】
複数の入力キースイッチ１０ｂは、図１にて示すごとく、ケーシング１０ａの前壁１１に配設されており、これら入力キースイッチ１０ｂは、当該携帯電話機にその本来の作動（以下、携帯電話作動ともいう）を行わせるために操作される。
【００４５】
切り換えスイッチ１０ｃは、当該携帯電話機において上記携帯電話作動と画像表示装置Ｂの表示作動（以下、画像表示作動ともいう）との間の切り換えのために用いられるもので、この切り換えスイッチ１０ｃは、ケーシング１０ａの図１にて図示側壁１２（右側壁１２）の上部に押動可能に配設されている。しかして、当該切り換えスイッチ１０ｃは、当該携帯電話機における作動を上記携帯電話作動と上記画像表示作動との間で相互に切り換えるとき、この切り換え毎に押動操作される。
【００４６】
また、操作側本体部１０は、図２にて示すごとく、通信機１０ｄ及びロッド状通信アンテナ１０ｅを備えており、通信機１０ｄは、ケーシング部材１０ａに内蔵されている。通信アンテナ１０ｅは、図１及び図３から分かるように、ケーシング部材１０ａの後壁１３の右端側上部内に上下方向に出し入れ可能に収納されている。
【００４７】
しかして、通信機１０ｄは、コントローラ３０ｂ（図３参照）による制御のもと、通信アンテナ１０ｅを介する受信情報をコントローラ３０ｂに入力し、また、コントローラ３０ｂからの出力情報を通信アンテナ１０ｅから送信する。なお、図１及び図３にて、符号１０ｆはマイクロフォンを示す。
【００４８】
表示側本体部２０は、図１にて示すごとく、ケーシング部材２０ａ及び液晶パネル２０ｂを備えている。液晶パネル２０ｂは、ケーシング部材２０ａの前壁２１にその中央開口部２１ａから嵌装されている。ここで、当該液晶パネル２０ｂは、その表示面にて、前壁２１の中央開口部２１ａから外方に露呈している。なお、図１及び図３にて、符号２０ｃは、スピーカを示す。
【００４９】
また、電話機本体Ａは、図２にて示す制御回路Ｃを備えており、この制御回路Ｃは、ケーシング１０ａに内蔵されている。当該制御回路Ｃは、上記携帯電話作動及び上記画像表示作動を制御するもので、この制御回路Ｃは、電池３０、電源管理回路３０ａ、コントローラ３０ｂ、メモリ３０ｃ及び各駆動回路３０ｄ〜３０ｇを備えている。
【００５０】
電源管理回路３０ａは、電池３０の電力容量を管理するもので、この電源管理回路３０ａは、当該携帯電話機の電源オフ操作のない限り、電池３０の電力容量の正常状態にて、電池３０からコントローラ３０ｂその他の素子へ給電させる。
【００５１】
コントローラ３０ｂは、切り換えスイッチ１０ｃの押動操作のもと、当該携帯電話機の動作において、上記携帯電話作動或いは上記画像表示作動を行うように制御する。しかして、当該コントローラ３０ｂは、上記携帯電話作動では、複数の入力キースイッチ１０ｂの入力操作、通信機１０ｄの受信情報やメモリ３０ｃの記憶情報等に基づきマイクロフォン１０ｆ、スピーカ１０ｅや液晶パネル２０ｂの駆動等の制御を行う。
【００５２】
また、コントローラ３０ｂは、上記画像表示作動では、外部からの２次元状画像に対応する映像信号を画像処理し当該２次元状画像のフレーム毎に画像処理駆動信号として発生し、上記映像信号の２次元状画像の各フレームの水平ライン毎に水平同期信号を発生するとともに各フレームごとに垂直同期信号を発生し、２次元状画像の各フレーム毎にピント調整のためのピント調整信号を発生する。
【００５３】
メモリ３０ｃは、コントローラ３０ｂによる制御のもと、情報の書き込み或いは読み出しを行う。駆動回路３０ｄは、コントローラ３０ｂによる制御のもと、液晶パネル２０ｂを表示駆動する。
【００５４】
駆動回路３０ｅは、コントローラ３０ｂからの画像処理駆動信号に基づき、レーザダイオード５０（図２及び図３参照）を駆動する。この駆動は、レーザダイオード５０のレーザ光発生部から発生するレーザ光を上記画像処理駆動信号により強度変調するようになされる。
【００５５】
駆動回路３０ｆは、コントローラ３０ｂからの水平同期信号及び垂直同期信号に基づき、２次元スキャナ７０（図２〜図４参照）を駆動する。駆動回路３０ｇは、コントローラ３０ｂからのピント調整信号に基づき、可変焦点素子６０（図２及び図３参照）を駆動する。
【００５６】
画像表示装置Ｂは、図３にて示すごとく、ケーシング部材３０ａの前壁１１に取り付けられるハーフミラー４０並びに当該ケーシング部材３０ａに内蔵されるレーザダイオード５０、可変焦点素子６０及び２次元スキャナ７０を備えている。
【００５７】
まず、ケーシング部材３０ａの前壁１１に対するハーフミラー４０の取り付け構成について、図１及び図３を参照して説明する。ケーシング部材３０ａは、その前壁１１にて、凹所１４を有しており、この凹所１４は、図１にて示すごとく、当該前壁１１の左端部に沿い、ケーシング部材１０ａの底壁１５側から上壁１６側にかけて、ケーシング部材１０ａの内部に向け凹状となるように長手状に形成されている。なお、当該上壁１６は、透光性部材でもって形成されている。
【００５８】
ハーフミラー４０は、その基端部４１にて、凹所１４の図３にて図示下部に軸１４ａにより図示時計方向或いは反時計方向に回動可能に支持されており、このハーフミラー４０は、ケーシング部材１０ａの凹所１４内に、図３にて図示二点鎖線で示すごとく、収納されるようになっている。ここで、当該ハーフミラー４０の表面４２は、図３にて破線で示すごとく、ハーフミラー４０の裏面に向けて凹となるように楕円曲面状に形成されている。
【００５９】
しかして、当該ハーフミラー４０は、その表面４２にて、入射走査レーザ光（後述する）を反射する。本第１実施形態では、ハーフミラー４０の表面４２を、以下、反射面４２ともいう。また、ハーフミラー４０にその裏面側から入射する光は、当該ハーフミラー４０を透過して反射面４２から出射する。
【００６０】
レーザダイオード５０及び可変焦点素子６０は、図３にて示すごとく、ケーシング部材１０ａ内にて、凹所１４の底壁１４ｂの背後に配設されている。レーザダイオード５０は、光源として採用されているもので、このレーザダイオード５０は、レーザ光発生部を有している。しかして、当該レーザダイオード５０は、そのレーザ光発生部にて、コントローラ３０ｂからの画像処理駆動信号に基づき駆動回路３０ｅにより駆動されてレーザ光（コヒーレント光）を発生するとともに、このレーザ光にて上記画像処理駆動信号により強度変調されて強度変調レーザ光として可変焦点素子６０に向けて出射する。
【００６１】
可変焦点素子６０は、可変焦点レンズ（図示しない）及び反射ミラー（図示しない）を有している。上記可変焦点レンズは、コントローラ３０ｂからのピント調整信号に基づき駆動回路３０ｇにより駆動される。この駆動は、当該可変焦点レンズの厚さ、換言すれば、当該可変焦点レンズの焦点を、上記ピント調整信号に応じて当該可変焦点レンズの光軸方向において変化させるようになされる。このことは、上記可変焦点レンズの焦点距離が、上記ピント調整信号に応じて当該可変焦点レンズの光軸方向において変化することを意味する。
【００６２】
しかして、当該可変焦点レンズは、コントローラ３０ｂからのピント調整信号に基づき駆動回路３０ｇにより駆動されて、その焦点距離の変化に応じて、レーザダイオード５０からの強度変調レーザ光を上記反射ミラーの反射面に向けて出射する。
【００６３】
上記反射ミラーは、その反射面にて、上記可変焦点レンズの焦点距離の変化に応じ当該可変焦点レンズから強度変調レーザ光を入射されて、この入射強度変調レーザ光を、ケーシング部材１０ａの上壁１６及びケーシング部材２０ａの底壁２２の各開口部（図示しない）を通して、２次元スキャナ７０に向けて反射する。なお、当該底壁２２は、透光性部材でもって形成されている。
【００６４】
２次元スキャナ７０は、図３及び図４にて示すごとく、ケーシング部材２０ａ内下部に傾斜状に配設されている。この２次元スキャナ７０は支持板７１を備えており、この支持板７１は、図４にて示すごとく、ケーシング部材２０ｂ内にて、その前壁２１及び後壁２３の各対応部位により傾斜状に支持されている。
【００６５】
また、２次元スキャナ７０は、図４にて示すごとく、環状基台７２、反射板７３及び透明カバー７４を備えている。環状基台７２は、環状フランジ部７２ａを有しており、このフランジ部７２ａは、支持板７１に、各ねじ７１ａの締着により支持されている。
【００６６】
また、基台７２は、環状壁部７２ｂ及び環状揺動部材７２ｃを有しており、環状壁部７２ｂは、フランジ部７２ａの内周縁部から同軸的に図４にて図示斜め左下方へ突出している。揺動部材７２ｃは、図４にて示すごとく、環状壁部７２ｃ内に位置して、当該環状壁部７２ｃの内周面の両対向部に両捻り弾性材料からなる連結軸７２ｄを介し支持されている。
【００６７】
換言すれば、両連結軸７２ｄは、図４にて示すごとく、揺動部材７２ｃを介し、互いに同軸的に対向して位置し、揺動部材７２ｃを環状壁部７２ｃ内にて支持している。これにより、揺動部材７２ｃは、環状壁部７２ｂ内にて両連結軸７２ｄの軸回り方向への捻れによりこの捻れ方向に揺動可能となっている。
【００６８】
反射板７３は、図４にて示すごとく、環状揺動部材７２ｃ内に位置して、当該揺動部材７２ｃの内周面の両対向部に両捻り弾性材料からなる両連結軸７３ａを介し支持されている。換言すれば、両連結軸７３ａは、図４にて示すごとく、反射板７３を介し、互いに対向して位置し、反射板７３を環状揺動部材７２ｃ内にて支持している。これにより、反射板７３は、揺動部材７２ｃ内にて両連結軸７３ａの軸回り方向への捻れによりこの捻れ方向に揺動可能となっている。
【００６９】
ここで、両連結軸７３ａは、その軸方向にて、両連結軸７２ｄの軸方向と直交するように、揺動部材７２ｃの内周面の両対向部に支持されている。従って、反射板７３の揺動方向（以下、垂直方向ともいう）が、環状揺動部材７２ｃの揺動方向（以下、水平方向ともいう）に対し直角となっている。
【００７０】
また、反射板７３は、その反射面７３ｂにて、透明カバー７４の上壁７４ａを介して、ケーシング部材２０ａの前壁２１の下部に形成した開口部２１ｂ（図３及び図４参照）を通し外部を臨んでいる。
【００７１】
ここで、ハーフミラー４０が図３にて図示位置にあるとき、反射板７３の反射面７３ｂは、透明カバー７４の上壁７４ａ及び前壁２１の開口部２１ｂを通してハーフミラー４０の反射面４２に傾斜状に対向している。この状態にて、可変焦点素子６０においてその反射ミラーにより反射される強度変調レーザ光は、２次元スキャナ７０の反射板７３の反射面７３ｂに入射する。このとき、反射面７３ｂ上における入射強度変調レーザ光の入射面積は、可変焦点素子６０による焦点距離の変化度合いに対応する。なお、透明カバー７４は、断面コ字状のもので、この透明カバー７４は、環状壁部７２ｂを覆蓋するように基台７２のフランジ部７２ａに装着されている。
【００７２】
このように構成した２次元スキャナ７０は、コントローラ３０ｂからの水平同期信号及び垂直同期信号に基づき駆動回路３０ｆにより駆動されて、環状揺動部材７２ｃを上記水平方向に揺動させるとともに反射板７３を上記垂直方向に揺動させる。このことは、反射板７３が、上記水平方向及び上記垂直方向に揺動することを意味する。そして、この揺動のもと、２次元スキャナ７０は、反射板７３の反射面７３ｂにより可変焦点素子６０からの強度変調レーザ光を２次元状に走査し、走査レーザ光として、透明カバー７４の上壁７４ａ及びケーシング部材２０ａの開口部２１ｂを通して外部空間に向けて出射する。
【００７３】
ここで、ハーフミラー４０及び使用者の左眼Ｉが、図３にて図示位置にあるとき、ハーフミラー４０の反射面４２に入射する走査レーザ光は、当該反射面４２により反射されて左眼Ｉの瞳孔Ｉａに入射する。なお、２次元スキャナ７０による走査レーザ光の反射位置が、図３及び図４において異なるように描かれているが、図３における走査レーザ光の反射位置は概略的に描かれているにすぎず、図４における走査レーザ光の反射位置の方が正しい。
【００７４】
以上のように構成した本第１実施形態において、当該携帯電話機が、使用者の左手により、図３にて示すごとく、把持されるものとする。この状態では、ハーフミラー４０がその反射面４２にて使用者の左眼Ｉにその直前にて対向して位置するように、当該携帯電話機が使用者の左手で鉛直状に把持されるものとする。このとき、使用者は、その前方をハーフミラー４０を通して左眼Ｉにより視認することができる。
【００７５】
このような状態において、切り換えスイッチ１０ｃが使用者の左手の指により押動操作されると、コントローラ３０ｂが、当該携帯電話機の作動を上記携帯電話作動から上記画像表示作動に切り換えるように制御する。
【００７６】
これに伴い、コントローラ３０ｂが、外部からの２次元状画像に対応する映像信号をフレーム毎に画像処理して画像処理駆動信号として、順次、駆動回路３０ｅに出力し、上記各フレーム毎に複数の水平同期信号及び垂直同期信号を駆動回路３０ｆに出力し、上記各フレーム毎にピント調整信号を駆動回路３０ｇに出力する。
【００７７】
上述のようにコントローラ３０ｂが画像処理駆動信号を駆動回路３０ｅに出力すると、レーザダイオード５０は、当該駆動回路３０ｅにより駆動されて上記レーザ発生部からレーザ光を発生するとともにこのレーザ光を上記画像処理駆動信号に対応するように強度変調する。従って、レーザダイオード５０は、上述のように強度変調されるレーザ光を強度変調レーザ光として可変焦点素子６０に向けて出射する。
【００７８】
また、上述のようにコントローラ３０ｂが水平同期信号及び垂直同期信号を駆動回路３０ｆに出力すると、２次元スキャナ７０は、その揺動部材７２ｃ及び反射板７３にて、水平同期信号及び垂直同期信号に基づき当該駆動回路３０ｆにより水平方向及び垂直方向に揺動するように駆動される。
【００７９】
また、上述のようにコントローラ３０ｂがピント調整信号を駆動回路３０ｇに出力すると、可変焦点素子６０は、当該ピント調整信号に基づき駆動回路３０ｇにより駆動されて、上記可変焦点レンズの厚さにて上記ピント調整信号に対応するように調整される。このため、レーザダイオード５０からの強度変調レーザ光が、当該可変焦点レンズの調整厚さで決まる焦点距離でもって、可変焦点素子６０の上記反射ミラーにより反射されて２次元スキャナ７０の反射板７３の反射面７３ｂに透明カバー７４の上壁７４ａを通り入射する。
【００８０】
以上のように、可変焦点素子６０からの強度変調レーザ光が２次元スキャナ７０の反射板７３に入射されるとともに、２次元スキャナ７０が、その反射板７３にて、水平方向及び垂直方向に揺動すると、当該強度変調レーザ光は、２次元スキャナ７０によりその反射板７３でもって２次元状に走査されて走査レーザ光として反射され、ケーシング部材２０ａの開口部２１ｂを通り外部空間に出射してハーフミラー４０の反射面４２に入射する。
【００８１】
すると、この反射走査レーザ光は、ハーフミラー４０によりその反射面４２にて反射されて使用者の左眼Ｉの瞳孔Ｉａに入射する。このように入射した反射走査レーザ光は、左眼Ｉの網膜に結像し２次元状画像として表示される。この際、当該２次元状画像は、ハーフミラー４０の反射面４２上に表示されるのではなく、ハーフミラー４０よりも遠方に虚像として大画面にて表示される。従って、使用者は、その前方をハーフミラー４０を通して見ながら、上記２次元状画像を良好に視認することができる。
【００８２】
また、このような段階にて、切り換えスイッチ１０ｃが再び押動操作されると、コントローラ３０ｂが、当該携帯電話機の作動を上記画像表示作動から上記携帯電話作動に切り換えるように制御する。このとき、ハーフミラー４０は使用者によってケーシング部材１０ａの凹所１４内に収納される。
【００８３】
このような状態では、コントローラ３０ｂが、複数の入力キースイッチ１０ｂの選択的押動操作や通信機１０ｄによる通信アンテナ１０ｅからの受信情報等に基づき、当該携帯電話機の上記携帯電話作動を行うように制御する。この制御に伴い、液晶パネル２０ｂが駆動回路３０ｄにより駆動されて種々の表示情報を表示したり、通話がスピーカ２０ｃ及びマイクロフォン１０ｆでもってなされたりする。
【００８４】
以上説明したように、本第１実施形態では、当該携帯電話機に設けた画像表示装置Ｂにおいて、光源としてレーザダイオード５０を採用し、このレーザダイオード５０から出射される強度変調レーザ光を可変焦点素子６０により２次元スキャナ７０に入射させるようにして、当該２次元スキャナ７０でもって、上記強度変調レーザ光を、直接、２次元状に走査して走査レーザ光とするようにした。そして、この走査レーザ光をハーフミラー４０によりその反射面４２にて反射して使用者の左眼Ｉの瞳孔Ｉａに入射させることで、当該左眼Ｉの網膜に２次元状画像を結像表示させるようにした。
【００８５】
これにより、２次元状の走査レーザ光の形成にあたり、光源として、レーザダイオード５０を採用することで済むので、当該光源の外形形状をより一層小さくし得る。従って、当該携帯電話機をより一層コンパクトに構成し得る。
【００８６】
ここで、上述した映像信号のフレーム毎の水平同期信号の数が多い程、上記２次元状画像の画素数が増大するので、上述のように光源の外形形状を小さくしても、上記２次元状画像の解像度を液晶パネル２０ｂの解像度よりも高く確保でき、その結果、当該２次元状画像を左眼Ｉの網膜においてより一層きれいに表示し得る。このことは、使用者は、その左眼Ｉにより、当該２次元状画像をきれいに視認できることを意味する。
【００８７】
また、使用者は、左眼Ｉにより、上記２次元状画像を視認しながら或いは当該携帯電話機の通常使用状態（上記携帯電話作動状態）で使用しながらハーフミラー４０を通して前方を見ることができる。従って、使用者は、歩きながらでも左眼Ｉによる前方の視界を良好に確保しつつ、上記２次元状画像を視認したり、或いは当該帯電話機の通常使用状態で使用することができる。
【００８８】
また、ハーフミラー４０の反射面４２は凹面状であって、走査光を使用者の眼に集光する構成となっている。このとき、走査光は、網膜で結像して画像として表示される。そして、当該画像は、ハーフミラー４０を通してこのハーフミラーよりも遠方にあるかのように観察される。
【００８９】
また、上述のように、２次元スキャナ７０で２次元状に走査したレーザ光を、ケーシング部材１０ａの外部に設けたハーフミラー４０に、ケーシング部材２０ａの開口部２１ｂから外部空間を利用して入射させて、ハーフミラー４０によりその入射走査レーザ光を左眼Ｉに入射するようにした。
【００９０】
ここで、ハーフミラー４０は当該携帯電話機の外部にあって広い反射面４２を有するとともに左眼Ｉの近くに位置するため、当該ハーフミラー４０からの反射レーザ走査光は、当該携帯電話機の外部空間を利用して左眼Ｉに対し広い視野角でもって入射されて当該左眼の網膜に良好に結像し得る。このことは、使用者は、その左眼Ｉでもって、上記２次元状画像を広い視野角でもって良好に視認し得ることを意味する。
【００９１】
また、上述のように、２次元スキャナ７０からの走査レーザ光は、当該２次元スキャナ７０とハーフミラー４０との間の空間を利用してハーフミラー４０に入射する。従って、当該携帯電話機において、ハーフミラー４０を使用者の左眼の近くに位置するように電気的な接続なしで配設することができる。
【００９２】
また、上述のように、画像表示装置Ｂはレーザ光を利用した網膜走査方式を採用しているため、レーザ光の直進性でもって、電話機本体Ａ内の各部品の配置がより一層容易になされ得る。
【００９３】
また、本第１実施形態では、ハーフミラー４０は、電気的接続構成をもたない光学部材の１つである。従って、ハーフミラー４０の使用の際に、当該ハーフミラー４０が凹所１４から反時計方向に回動されて図３の図示位置に容易に保持される。また、ハーフミラー４０の非使用の際には、当該ハーフミラー４０は、図３の図示位置から上側へ時計方向に回動されて凹所１４内に容易に収容される。
【００９４】
このように、ハーフミラー４０はその非使用の際には凹所１４内に収容され得るので、ハーフミラー４０の非使用時の操作側本体部１０の構成がコンパクトになるるとともにハーフミラー４０の反射面４２の汚れや損傷が防止され得る。
【００９５】
また、本第１実施形態では、画像表示装置Ｂの各構成素子が、ハーフミラー４０を含め、電話機本体Ａのケーシング部材１０ａの左端部に沿い位置するように設けられている。このため、操作側本体部１０の各入力キースイッチ１０ｂを従来のままにしたままで、画像表示装置Ｂの各構成素子を、ハーフミラー４０を含め、ケーシング部材１０ａに設けることができる。その結果、当該携帯電話機が、操作側本体部１０の各入力キースイッチ１０ｂを従来のままにしたままで、容易に製造され得る。
【００９６】
また、本第１実施形態では、画像光表示装置Ｂがアンテナ１０ｅとは反対側にてケーシング部材１０ａ、１０ｂに内蔵されているから、電話機本体Ａがコンパクトに構成され得る。
（第２実施形態）
図５は、本発明の第２実施形態の要部を示している。この第２実施形態においては、上記第１実施形態にて述べた携帯電話機において、ケーシング部材２０ａは、上記第１実施形態にて述べた開口部２１ｂに代えて、開口部２１ｃを有しており、この開口部２１ｃは、ケーシング部材２０ａの前壁２１の上部に形成されている。
【００９７】
本第２実施形態では、上記第１実施形態にて述べた２次元スキャナ７０は、上記第１実施形態とは異なり、図５にて示すごとく、ケーシング部材２０ａ内上部に傾斜状に配設されており、この２次元スキャナ７０は、その透明カバー７４の上壁７４ａ（図４参照）にて、ケーシング部材２０ａの開口部２１ｃを通し、図５にて示すごとく、図示位置にあるハーフミラー４０の反射面４２に対向する。
【００９８】
また、本第２実施形態においては、光学リレーレンズ系８０が、図５にて示すごとく、ケーシング部材２０ａ内にて２次元スキャナ７０の下方に配設されており、この光学リレーレンズ系８０は、上記第１実施形態にて述べたレーザダイオード５０から可変焦点素子６０を通して出射される強度変調レーザ光を並行レーザ光に変換して２次元スキャナ７０の反射板７３の反射面７３ａ（図４参照）に透明カバー７４の上壁７４ａを通して入射する。その他の構成は上記第１実施形態と同様である。
【００９９】
このように構成した本第２実施形態において、上記第１実施形態と同様に、ハーフミラー４０がその反射面４２にて使用者の左眼Ｉにその直前にて対向して位置するように、当該携帯電話機が使用者の左手で鉛直状に把持されるものとする。
【０１００】
このような状態において、上記第１実施形態と実質的に同様に、２次元スキャナ７０の反射板７３が水平方向及び垂直方向に揺動されるとともに、レーザダイオード５０からの強度変調レーザ光が、可変焦点素子６０の可変焦点レンズの調整厚さで決まる焦点距離でもって、可変焦点素子６０の上記反射ミラーにより反射されて光学リレーレンズ系８０を通して２次元スキャナ７０の反射板７３の反射面７３ｂに透明カバー７４の上壁７４ａを通り並行レーザ光として入射すると、当該並行レーザ光は、２次元スキャナ７０によりその反射板７３でもって２次元状に走査されて走査レーザ光として反射され、ケーシング部材２０ａの開口部２１ｃを通り外部空間に出射してハーフミラー４０の反射面４２に入射する。
【０１０１】
すると、この反射走査レーザ光は、ハーフミラー４０によりその反射面４２にて反射されて使用者の左眼Ｉの瞳孔Ｉａに入射する。このように入射した反射走査レーザ光は、左眼Ｉの網膜に結像し２次元状の画像として表示される。
【０１０２】
従って、本第２実施形態によっても、使用者は、その前方をハーフミラー４０を通して見ながら、上記２次元状の画像を良好に視認することができる。その他の作用効果は上記第１実施形態と同様である。
（第３実施形態）
図６は、本発明の第３実施形態の要部を示している。この第３実施形態では、上記第１実施形態にて述べた画像表示装置の構成が、図６にて示すごとく変更されている。即ち、本第３実施形態では、上記第１実施形態にて述べたハーフミラー４０、レーザダイオード５０及び可変焦点素子６０は、ケーシング部材２０ａ内に配設され、上記第１実施形態にて述べた２次元スキャナ７０は、光学リレーレンズ系８０ａと共に、ケーシング部材１０ａ内に配設されている。
【０１０３】
ハーフミラー４０は、ケーシング部材２０ａの上部内に図６にて示すごとく傾斜状に配設されており、このハーフミラー４０は、その反射面４２（図４参照）にて、開口部２１ｄ及び開口部２１ｅを通して外部空間を臨んでいる。ここで、開口部２１ｄは、上記第１実施形態にて述べた開口部２１ｂに代えて、ケーシング部材２０の前壁２１のうちハーフミラー４０の下側部位に形成されている。また、開口部２１ｅは、前壁２１のうち開口部２１ｄの上側部位に形成されている。なお、上記第１実施形態にて述べた液晶パネル２０ｂは、ケーシング部材２０ａの前壁２１のうち両開口部２１ｄ、２１ｅよりも右側部位に位置する。
【０１０４】
２次元スキャナ７０は、ケーシング部材１０ａの下部内に図６にて示すごとく傾斜状に配設されており、この２次元スキャナ７０は、透明カバー７４の上壁７４ａ（図４参照）にて、開口部１１ａ及び開口部２１ｄを通してハーフミラー４０の反射面４２に対向している。ここで、開口部１１ａは、ケーシング部材１０ａの前壁１１の上部にて、開口部２１ｄを通し２次元スキャナ７０の透明カバー７４の上壁７４ａに対向するように形成されている。
【０１０５】
レーザダイオード５０は、可変焦点素子６０と共に、ケーシング部材２０ａの下部内に配設されており、このレーザダイオード５０は、可変焦点素子６０の直上に位置している。このため、レーザダイオード５０は、その直下に位置する可変焦点素子６０に向けて強度変調レーザ光を出射する。
【０１０６】
可変焦点素子６０においては、その可変焦点レンズが、当該可変焦点素子６０の反射ミラーの直上に配設されている。ここで、当該反射ミラーは、レーザダイオード５０から上記可変焦点レンズを通し出射される強度変調レーザ光をケーシング部材２０ａの底壁２２及びケーシング部材１０ａの上壁１６の上記各開口部を通してリレー光学レンズ系８０ａに向けて出射するように、傾斜状に配設されている。
【０１０７】
リレー光学レンズ系８０ａは、ケーシング部材１０ａの上部内に配設されており、このリレー光学レンズ系８０ａは、可変焦点素子６０から出射される強度変調レーザ光を並行レーザ光に変換して、２次元スキャナ７０の反射板７３に透明カバー７４の上壁７４ａ（図４参照）を通し入射する。その他の構成は、上記第１実施形態と同様である。
【０１０８】
このように構成した本第２実施形態においては、上記第１実施形態とは異なり、ハーフミラー４０がその反射面４２にてケーシング部材２０ａの開口部２１ｅを通して使用者の左眼Ｉにその直前にて対向して位置するように、当該携帯電話機が使用者の左手で鉛直状に把持されるものとする。
【０１０９】
このような状態において、上記第１実施形態と実質的に同様に、２次元スキャナ７０の反射板７３が水平方向及び垂直方向に揺動されるとともに、レーザダイオード５０からの強度変調レーザ光が、可変焦点素子６０の可変焦点レンズの調整厚さで決まる焦点距離でもって、可変焦点素子６０の上記反射ミラーにより反射されて光学リレーレンズ系８０ａを通り２次元スキャナ７０の反射板７３の反射面７３ｂに透明カバー７４の上壁７４ａを通り並行レーザ光として入射すると、当該並行レーザ光は、２次元スキャナ７０によりその反射板７３でもって２次元状に走査されて走査レーザ光として反射され、ケーシング部材１０ａの開口部１１ａから外部空間に出射しケーシング部材２０ａの開口部２１ｄを通りハーフミラー４０の反射面４２に入射する。
【０１１０】
すると、この反射走査レーザ光は、ハーフミラー４０によりその反射面４２にて反射されてケーシング部材２０ａの開口部２１ｅを通り使用者の左眼Ｉの瞳孔Ｉａに入射する。このように入射した反射走査レーザ光は、左眼Ｉの網膜に結像し２次元状画像として表示される。
【０１１１】
従って、本第３実施形態によっても、使用者は上記２次元状画像を良好に視認することができる。その他の作用効果は、上記第１実施形態と実質的に同様である。なお、ハーフミラー４０に代えて、全反射ミラーを採用してもよい。
（第４実施形態）
図７は、本発明の第４実施形態の要部を示している。この第４実施形態では、上記第１実施形態にて述べた画像表示装置の構成が、図７にて示すごとく変更されている。即ち、本第４実施形態では、上記第１実施形態にて述べたレーザダイオード５０及び可変焦点素子６０は、ケーシング部材２０ａ内に配設され、上記第１実施形態にて述べた２次元スキャナ７０は、反射ミラー７０ａ及び光学リレーレンズ系８０ｂと共に、ケーシング部材１０ａ内に配設されている。
【０１１２】
レーザダイオード５０は、ケーシング部材２０ａの上部内に配設されており、このレーザダイオード５０は、図７にて図示下方に向け強度変調レーザ光を出射する。可変焦点素子６０は、ケーシング部材２０ａ内にてレーザダイオード５０の直下に配設されている。ここで、可変焦点素子６０の可変焦点レンズは、当該可変焦点素子６０の反射ミラーの直上に配設されている。また、当該反射ミラーは、レーザダイオード５０から上記可変焦点レンズを通し出射される強度変調レーザ光をケーシング部材２０ａの底壁２２及びケーシング部材１０ａの上壁１６の上記各開口部を通してリレー光学レンズ系８０ｂに向けて出射するように、傾斜状に配設されている。
【０１１３】
リレー光学レンズ系８０ｂは、ケーシング部材１０ａの上部内に配設されており、このリレー光学レンズ系８０ｂは、可変焦点素子６０から出射される強度変調レーザ光を並行レーザ光に変換して、２次元スキャナ７０の反射板７３に透明カバー７４の上壁７４ａ（図４参照）を通し入射する。
【０１１４】
２次元スキャナ７０は、透明カバー７４の上壁７４ａ（図４参照）にて、リレー光学レンズ系８０ｂ及び反射ミラー７０ａの双方に対向するように、ケーシング部材１０ａの下部内に図７にて示すごとく配設されている。しかして、この２次元スキャナ７０は、反射板７３によりその上記水平方向及び垂直方向への揺動のもと、リレー光学レンズ系８０ｂからの並行レーザ光を２次元状に走査して走査レーザ光として反射ミラー７０ａに向けて反射する。
【０１１５】
反射ミラー７０ａは、図７にて示すごとく、ケーシング部材１０ａ内にて２次元スキャナ７０の図示左斜め上方に当該２次元スキャナ７０の反射板７３（図４参照）に平行となるように配設されており、この反射ミラー７０ａは、２次元スキャナ７０に対向するとともに、開口部１４ｃを通してハーフミラー４０の反射面４２に対向している。
【０１１６】
しかして、反射ミラー７０ａは、２次元スキャナ７０から走査レーザ光を入射されて当該走査レーザ光を開口部１４ｃから凹所１４を通りハーフミラー４０の反射面４２に向けて出射する。ここで、開口部１４ｃは、ケーシング１１の凹所１４の底壁１４ｂの一部に図７にて示すごとく形成されている。その他の構成は上記第１実施形態と同様である。
【０１１７】
このように構成した本第４実施形態において、上記第１実施形態と同様に、ハーフミラー４０がその反射面４２にて使用者の左眼Ｉにその直前にて対向して位置するように、当該携帯電話機が使用者の左手で鉛直状に把持されるものとする。
【０１１８】
このような状態において、上記第１実施形態と実質的に同様に、２次元スキャナ７０の反射板７３が水平方向及び垂直方向に揺動されるとともに、レーザダイオード５０からの強度変調レーザ光が、可変焦点素子６０の可変焦点レンズの調整厚さで決まる焦点距離でもって、可変焦点素子６０の上記反射ミラーにより反射されて、光学リレーレンズ系８０ｂ及び透明カバー７４の上壁７４ａを通り２次元スキャナ７０の反射板７３の反射面７３ｂに並行レーザ光として入射すると、当該並行レーザ光は、２次元スキャナ７０によりその反射板７３でもって２次元状に走査されて走査レーザ光として反射されて、反射ミラー７０ａに出射する。
【０１１９】
すると、当該走査レーザ光は、反射ミラー７０ａにより反射されてケーシング部材１０ａの凹所１４の開口部１４ｃを通り外部空間に出射し、ハーフミラー４０の反射面４２に入射する。これに伴い、ハーフミラー４０は、その反射面４２にて、反射ミラー７０ａからの反射走査レーザ光を反射して使用者の左眼Ｉの瞳孔Ｉａに入射する。このように入射した反射走査レーザ光は、左眼Ｉの網膜に結像し２次元状画像として表示される。
【０１２０】
従って、本第４実施形態によっても、使用者は、その前方をハーフミラー４０を通して見ながら、上記２次元状画像を良好に視認することができる。その他の作用効果は上記第１実施形態と同様である。
（第５実施形態）
図８及び図９は、本発明の第５実施形態の要部を示している。この第５実施形態では、上記第１実施形態にて述べたハーフミラー４０のケーシング部材１０ａに対する取り付け構成が、図８及び図９にて示すごとく変更されている。
【０１２１】
ケーシング部材１０ａは、上記第１実施形態にて述べた凹所１４に代えて、図８及び図９にて示すごとく、凹所１７を有している。この凹所１７は、図８及び図９から分かるように、ケーシング部材１０ａの後壁１３の左端部に沿い、ケーシング部材１０ａの底壁側から上壁側にかけて、ケーシング部材１０ａの内部に向け凹状となるように長手状に形成されている。
【０１２２】
また、ハーフミラー４０は、その基端部４１にて、凹所１７の図９にて図示下部に軸１７ａにより下方側へ図示時計方向或いは反時計方向に回動可能に支持されており、このハーフミラー４０は、ケーシング部材１０ａの凹所１７内に、図９（ｂ）にて図示二点鎖線で示すごとく、収納されるようになっている。その他の構成は、上記第１実施形態と同様である。
【０１２３】
このように構成した本第５実施形態において、使用者がその左眼Ｉでもってハーフミラー４０の反射面４２を見得る状態におくときは、ハーフミラー４０は、図８及び図９（ａ）にて示す位置に保持される。また、当該ハーフミラー４０の収納にあたっては、当該ハーフミラー４０は、図８にて示す位置から図９（ａ）にて図示実線の矢印にて示すように下方側へ時計方向に回動されて図９（ｂ）にて図示破線で示すごとく凹所１７内に収納される。
【０１２４】
このように、ハーフミラー４０はその非使用の際には上述のごとく凹所１７内に収容され得るので、ハーフミラー４０の非使用時の操作側本体部１０がコンパクトに構成され得る。その他の作用効果は上記第１実施形態と実質的に同様である。
（第６実施形態）
図１０及び図１１は、本発明の第６実施形態の要部を示している。この第６実施形態では、上記第１実施形態にて述べたハーフミラー４０のケーシング部材１０ａに対する取り付け構成が、図１０及び図１１にて示すごとく変更されている。
【０１２５】
ケーシング部材１０ａは、上記第１実施形態にて述べた凹所１４に代えて、図１０及び図１１にて示すごとく、凹所１８を有している。この凹所１８は、図１０及び図１１から分かるように、ケーシング部材１０ａ内に向けその左壁側から後壁１３に沿い凹状に形成されており、この凹所１８は、図１１（ａ）にて示すごとく、ケーシング部材１０ａの左壁から外方へ開口している。
【０１２６】
また、ハーフミラー４０は、その基端部４１にて、凹所１８の図１１（ａ）にて図示下部に軸１８ａにより回動可能にかつ軸１８ａの軸方向に摺動可能に支持されており、このハーフミラー４０は、ケーシング部材１０ａの凹所１８内に、その開口側から、図１１（ｂ）において図示二点鎖線で示すごとく、収納されるようになっている。なお、軸１８ａは、ハーフミラー４０の凹所１８内への収納に伴い軸方向に収縮し、当該凹所１８から引き出す際に軸方向に伸びるように形成されている。その他の構成は上記第１実施形態と同様である。
【０１２７】
このように構成した本第６実施形態において、使用者がその左眼Ｉでもってハーフミラー４０の反射面４２を見得る状態におくときは、ハーフミラー４０は、図１０及び図１１（ａ）にて図示実線で示す位置に保持される。
【０１２８】
また、ハーフミラー４０の収納にあたっては、当該ハーフミラー４０は、軸１８ａを基準として、図１１（ａ）にて図示実線で示す位置から図示破線で示す位置まで図示矢印方向に回動される。然る後、当該ハーフミラー４０は、ケーシング部材１０ａの凹所１８内にその開口側から押し込まれて、図１１（ｂ）にて図示二点鎖線で示すごとく収納される。
【０１２９】
このように、本第６実施形態でも、ハーフミラー４０はその非使用の際には上述のごとく凹所１８内に収容され得るので、ハーフミラー４０の非使用時の操作側本体部１０がコンパクトに構成され得る。その他の作用効果は上記第１実施形態と実質的に同様である。
（第７実施形態）
図１２及び図１３は、本発明の第７実施形態の要部を示している。この第７実施形態では、上記第１実施形態にて述べたハーフミラー４０のケーシング部材１０ａに対する取り付け構成が、図１２及び図１３にて示すごとく変更されている。
【０１３０】
ケーシング部材１０ａは、上記第１実施形態にて述べた凹所１４に代えて、図１２及び図１３にて示すごとく、凹所１９を有している。この凹所１９は、図１２及び図１３から分かるように、ケーシング部材１０ａ内に向けその底壁左端部から後壁１３に沿い凹状に形成されており、この凹所１９は、ケーシング部材１０ａの底壁から外方へ開口している。
【０１３１】
また、ハーフミラー４０は、その基端部４１にて、凹所１９の図１３（ａ）にて図示下部に軸１９ａにより回動可能に支持されており、このハーフミラー４０は軸１８ａと共に凹所１９内にその開口から収納可能となっている。しかして、当該ハーフミラー４０は、ケーシング部材１０ａの凹所１９内にその開口側から、図１１（ｂ）にて図示二点鎖線で示すごとく、収納されるようになっている。その他の構成は上記第１実施形態と同様である。
【０１３２】
このように構成した本第７実施形態において、使用者がその左眼Ｉでもってハーフミラー４０の反射面４２を見得る状態におくときは、ハーフミラー４０は、図１２及び図１３（ａ）にて図示実線で示す位置に保持される。
【０１３３】
また、ハーフミラー４０の収納にあたっては、当該ハーフミラー４０は、軸１９ａを基準として、図１２（ａ）図示実線で示す位置から図１２（ｂ）にて破線で示す位置まで図１２（ａ）にて図示矢印方向に回動される。然る後、ハーフミラー４０は、軸１９ａと共に、図１３（ｂ）にて図示矢印方向に向け押し込まれて図１３（ｃ）で図示破線で示すごとく収納される。
【０１３４】
このように、本第７実施形態でも、ハーフミラー４０はその非使用の際には上述のごとく凹所１９内に収容され得るので、ハーフミラー４０の非使用時の操作側本体部１０がコンパクトに構成され得る。その他の作用効果は上記第１実施形態と実質的に同様である。
（第８実施形態）
図１４は、本発明の第８実施形態の要部を示している。この第８実施形態では、ハーフミラー４０は、上記第７実施形態にて述べたハーフミラー４０とは異なり、図１４にて示すごとく、変更されている。
【０１３５】
即ち、本第８実施形態において、当該ハーフミラー４０の反射面４２は、図１４にて示すごとく、光透過部としてのガラス層４２ａと、このガラス層４２ａの裏面（つまり、走査光の入射側とは反対側の面）に形成した反射膜４２ｂとでもって、構成されている。その他の構成は、上記第８実施形態と同様である。
【０１３６】
このように構成した本第８実施形態では、上述のごとく、ハーフミラー４０の反射面４２が、ガラス層４２ａの裏面に反射膜４２ｂを形成して構成されている。従って、反射面４２が、その表面であるガラス層４２ａにおいて汚れても、当該ガラス層２４ａの汚れを拭くだけですぐにきれいになる。
【０１３７】
なお、本第８実施形態では、反射膜４２ｂをガラス層４２ａの裏面に直接形成するようにしたが、これに限らず、当該反射膜４２ｂを、例えば、ガラス層４２ａの裏面に対向する部材に形成するようにしてもよい。
【０１３８】
また、本発明の実施にあたり、上記各実施形態に限ることなく、次の種々の変形例が挙げられる。
（１）上記各実施形態における光源は、レーザダイオード５０に限ることなく、一般的なコヒーレント光発生源であってもよく、また、発光ダイオード等の単一の光発生源であってもよい。
（２）ハーフミラー４０に代えて、非透光型凹面反射鏡を採用してもよい。
（３）ハーフミラー４０に代えて、反射型回折格子板を採用してもよい。これによれば、当該回折格子板は、その回折格子状反射面にて上記走査レーザ光を使用者の左眼に向けて集光するべく回折するように当該携帯電話機において設けられる。
（４）画像表示装置Ｂの各構成素子を、ハーフミラー４０を含め、当該携帯電話機の電話機本体Ａのケーシング部材１０ａの右端部に沿い位置するように設けてもよい。これによっても、操作側本体部１０の各入力キースイッチ１０ｂを従来のままにしたままで、画像表示装置Ｂの各構成素子を、ハーフミラー４０を含め、ケーシング部材１０ａに設けることができる。
【０１３９】
その結果、当該携帯電話機が、操作側本体部１０の各入力キースイッチ１０ｂを従来のままにしたままで、容易に製造され得る。また、ハーフミラー４０及びこのハーフミラー４０へのレーザ光の出射口である開口部２１ｂは、ケーシング部材１０ａの左右方向中央部に配設してもよい。
（５）２次元スキャナ７０は、水平スキャナと、これと別体の垂直スキャナとの双方で構成してもよい。
（６）切り換えスイッチ１０ｃによる切り換えは、表示すべき画像を液晶パネル２０による表示と、画像表示装置Ｂを用いた表示とを切り換えればよく、他の動作を制限するものはない。よって、表示すべき画像のサイズによって切り換えるようにしてもよい。
【０１４０】
また、画像表示装置Ｂを用いて表示しているときに、液晶パネル２０でも表示していてもよいし、液晶パネル２０には何も表示してなくてもよく、どちらでも、使用者において設定できるようにしてもよい。
（７）また、切り換えスイッチ１０ｃによる切り換えに代えて、当該携帯電話機に対する呼び出しやメールの着信による切り換えを採用してもよい。例えば、テレビ電話のときには、液晶パネルから画像表示装置に切り換え、また、静止画や動画付きのメールのときには、液晶パネルから画像表示装置に切り換えるようにしてもよい。また、画像表示装置でみているときに、当該携帯電話機に呼び出しやメールの着信があったら、画像表示装置から液晶パネルに切り換えるようにしてもよい。
【図面の簡単な説明】
【０１４１】
【図１】本発明に係る携帯型情報端末機の一例である携帯電話機の第１実施形態を示す正面図である。
【図２】図１の携帯電話機の制御回路を示すブロック図である。
【図３】図１にて３−３線に沿う断面図である。
【図４】図３の２次元スキャナの部分破断拡大側面図である。
【図５】本発明の第２実施形態の要部を示す断面図である。
【図６】本発明の第３実施形態の要部を示す断面図である。
【図７】本発明の第４実施形態の要部を示す断面図である。
【図８】本発明の第５実施形態の要部を示す正面図である。
【図９】（ａ）及び（ｂ）は、それぞれ、上記第５実施形態において、ハーフミラーの凹所内への収納過程を説明するための側面図である。
【図１０】本発明の第６実施形態の要部を示す正面図である。
【図１１】（ａ）及び（ｂ）は、それぞれ、上記第６実施形態において、ハーフミラーの凹所内への収納過程を説明するための側面図及び正面図である。
【図１２】本発明の第７実施形態の要部を示す正面図である
【図１３】（ａ）、（ｂ）及び（ｃ）は、それぞれ、上記第７実施形態において、ハーフミラーの凹所内への収納過程を説明するための各側面図である。
【図１４】図１４は、本発明の第８実施形態の要部を示す側面図である。
【符号の説明】
【０１４２】
１０…操作側本体部、１０ｃ…切り換えスイッチ、１０ｄ…通信機、
１０ｅ…通信アンテナ、１０ｆ…マイクロフォン、１１、２１…前壁、
１４、１７、１８、１９…凹所、１４ａ、１７ａ、１８ａ、１９ａ…軸、
２０…表示側本体部、２０ｂ…液晶パネル、２０ｃ…スピーカ、
２１ｂ、２１ｃ…開口部、３０ｂ…コントローラ、３０ｆ…駆動回路、
４０…ハーフミラー、４２…反射面、４２ａ…ガラス層、４２ｂ…反射膜、
５０…レーザダイオード、７０…２次元スキャナ、Ａ…電話機本体、
Ｂ…画像表示装置、Ｓ…折りたたみ軸。
【図１】
2006013899.tif 000003
【図２】
2006013899.tif 000004
【図３】
2006013899.tif 000005
【図４】
2006013899.tif 000006
【図５】
2006013899.tif 000007
【図６】
2006013899.tif 000008
【図７】
2006013899.tif 000009
【図８】
2006013899.tif 000010
【図９】
2006013899.tif 000011
【図１０】
2006013899.tif 000012
【図１１】
2006013899.tif 000013
【図１２】
2006013899.tif 000014
【図１３】
2006013899.tif 000015
【図１４】
2006013899.tif 000016